(57)【特許請求の範囲】
【請求項１】
少なくとも長軸方向の一端に突起を有する柱状体を格納する紙製容器であって、１枚の紙材に所定の切欠き加工を施し一部を接着するとともに他部を折曲げ加工することにより、箱状の胴体と、前記胴体に一体化されるとともに前記柱状体の突起のみを支持し前記柱状体の本体部の移動を規制する突起支持部と、を形成するようにした紙製容器であって、
前面部と、この前面部に対向する後面部と、これら前面部及び後面部に隣接する左右の側面部と、これら前面部と後面部と各側面部の下縁から延設された複数の底面片と、これら前面部と後面部と各側面部の隣接する辺のうち切断されたいずれかの辺を含む被接着部に対応する辺から延設された接着片と、前記後面部の上縁から延設された後面フラップと、前記側面部のうちの少なくとも一方の上縁から延設されるとともに略中央部に矩形開口とこの矩形開口の一隅で連絡する逆Ｌ字状切込を有しかつ前記前面部側の側部に支持片を有する側面フラップと、を備え、
前記接着片と被接着部とを接着しかつ前記複数の底面片を折り込むことにより、前記前面部と前記後面部と前記各側面部と前記複数の底面片により上面が前記後面フラップにより開閉可能で有底四角筒状をなす前記胴体を形成し、かつ、前記側面フラップを前記側面部との境界線で前記胴体内方へ折込むとともに前記矩形開口の上縁線で前記胴体内方へ折込みかつ前記側面フラップの上縁片を前記側面部の裏面に対向するように折曲げ前記支持片を前記前面部の裏面に対向するように折り曲げ前記矩形開口と前記逆Ｌ字状切込とで形成される支持片を前記後面部側へ折曲げることにより、略四角筒状で略中央に前記柱状体の突起のみを支持する角形凹部を有する前記突起支持部を前記側面部の裏面に形成するように構成したこと
を特徴とする紙製容器。
【請求項２】
請求項１に記載した紙製容器において、
前記複数の底面片の裏面には、前記底面片と前記前面部又は前記後面部又は前記各側面部との境界線に平行な細溝部が設けられたこと
を特徴とする紙製容器。
【請求項３】
請求項１又は請求項２に記載した紙製容器において、
前記前面部にはその上縁から延設された係止片が設けられ、前記後面部には前記係止片に係合する係合孔が設けられたこと
を特徴とする紙製容器。
【発明の詳細な説明】
【０００１】
【発明の属する技術分野】
本発明は、紙製容器に関し、特に長軸方向の両端に突起を有する柱状体を格納する紙製容器に関するものである。
【０００２】
【従来の技術】
従来、感熱転写プリンタは、マゼンタ色、シアン色、イエロー色の転写リボンを備え、これらにヘッドを当接し熱を加えることにより各色のインキを昇華させて図形を紙上に形成し、カラー印刷を行なっていた。この感熱転写プリンタを用いた印刷においては、各インキの色が紙上にのり易くするために受容層を形成したロール紙が用いられていた。このような昇華転写ロール紙は、表面に受容層が形成された紙が巻芯のまわりに巻き取られ、紙からなる円柱体の長軸方向の両端に丸棒状の突起が突出したような形状に形成されたいた。このような昇華転写ロール紙は、段ボール箱等に詰めて梱包され運送や保管が行なわれていた。
【０００３】
【発明が解決しようとする課題】
しかしながら、上記従来の昇華転写ロール紙の梱包方法では、誤って段ボール箱に衝撃を与えたり、箱を落下させたりすると、ロール紙の巻きが緩み、ロール部分の形状が円柱状ではなくなるので、プリンタにセットし難くなる、という問題があった。
【０００４】
本発明の解決しようとする課題は、誤って衝撃や落下等させた場合でもロールの巻き等が緩んだりすることのない紙製容器を提供することである。
【０００６】
【課題を解決するための手段】
上記課題を解決するため、請求項１に記載した紙製容器は、少なくとも長軸方向の一端に突起（Ｂ）を有する柱状体（Ｃ）を格納する紙製容器であって、１枚の紙材に所定の切欠き加工を施し一部を接着するとともに他部を折曲げ加工することにより、箱状の胴体（２１）と、前記胴体（２１）に一体化されるとともに前記柱状体（Ｃ）の突起（Ｂ）のみを支持し前記柱状体（Ｃ）の本体部（Ｒ）の移動を規制する突起支持部（２２Ａ，２２Ｂ）と、を形成するようにした紙製容器であって、前面部（１）と、この前面部（１）に対向する後面部（２）と、これら前面部（１）及び後面部（２）に隣接する左右の側面部（３Ａ，３Ｂ）と、これら前面部（１）と後面部（２）と各側面部（３Ａ，３Ｂ）の下縁から延設された複数の底面片（４Ａ〜４Ｄ）と、これら前面部（１）と後面部（２）と各側面部（３Ａ，３Ｂ）の隣接する辺のうち切断されたいずれかの辺を含む被接着部（６）に対応する辺から延設された接着片（５）と、前記後面部（２）の上縁から延設された後面フラップ（７）と、前記側面部（３Ａ，３Ｂ）のうちの少なくとも一方の上縁から延設されるとともに略中央部に矩形開口（９Ａ又は９Ｂ）とこの矩形開口（９Ａ又は９Ｂ）の一隅で連絡する逆Ｌ字状切込（１０Ａ又は１０Ｂ）を有しかつ前記前面部（１）側の側部に支持片（１１Ａ又は１１Ｂ）を有する側面フラップ（８Ａ又は８Ｂ）と、を備え、前記接着片（５）と被接着部（６）とを接着しかつ前記複数の底面片（４Ａ〜４Ｄ）を折り込むことにより、前記前面部（１）と前記後面部（２）と前記各側面部（３Ａ，３Ｂ）と前記複数の底面片（４Ａ〜４Ｄ）により上面が前記後面フラップ（７）により開閉可能で有底四角筒状をなす前記胴体（２１）を形成し、かつ、前記側面フラップ（８Ａ又は８Ｂ）を前記側面部（３Ａ又は３Ｂ）との境界線（Ｌ１１又はＬ１４）で前記胴体（２１）内方へ折込むとともに前記矩形開口（９Ａ又は９Ｂ）の上縁線（Ｌ１６，Ｌ１７又はＬ２１，Ｌ２２）で前記胴体（２１）内方へ折込みかつ前記側面フラップ（８Ａ又は８Ｂ）の上縁片（１７Ａ又は１７Ｂ）を前記側面部（３Ａ又は３Ｂ）の裏面に対向するように折曲げ前記支持片（１１Ａ又は１１Ｂ）を前記前面部（１）の裏面に対向するように折り曲げ前記矩形開口（９Ａ又は９Ｂ）と前記逆Ｌ字状切込（１０Ａ又は１０Ｂ）とで形成される支持片（１２Ａ又は１２Ｂ）を前記後面部（２）側へ折曲げることにより、略四角筒状で略中央に前記柱状体（Ｃ）の突起（Ｂ）のみを支持する角形凹部（２３Ａ又は２３Ｂ）を有する前記突起支持部（２２Ａ又は２２Ｂ）を前記側面部（３Ａ又は３Ｂ）の裏面に形成するように構成したことを特徴とする。
【０００７】
また、請求項２に記載した紙製容器は、請求項１に記載した紙製容器において、前記複数の底面片（４Ａ〜４Ｄ）の裏面には、前記底面片（４Ａ〜４Ｄ）と前記前面部（１）又は前記後面部（２）又は前記各側面部（３Ａ，３Ｂ）との境界線（Ｌ６〜Ｌ９）に平行な細溝部（１３）が設けられたことを特徴とする。
【０００８】
また、請求項３に記載した紙製容器は、請求項１又は請求項２に記載した紙製容器において、前記前面部（１）にはその上縁から延設された係止片（１４）が設けられ、前記後面部（２）には前記係止片（１４）に係合する係合孔（１５）が設けられたことを特徴とする。
【０００９】
【発明の実施の形態】
以下、図面等を参照しながら、実施の形態をあげて、本発明を詳細に説明する。図１は、本発明に係る紙製容器の一実施形態であるロール紙梱包容器の構成を示す表面の展開図である。また、図２は、図１に示すロール紙梱包容器の構成を示す裏面の展開図である。
図に示すように、このロール紙梱包容器１００は、１枚の段ボール紙材に所定の切欠き加工を施し、その一部を接着するとともに他部を折曲げ加工することにより容器を形成するものであり、前面部１と、後面部２と、左右の側面部３Ａ，３Ｂと、複数の底面片４Ａ〜４Ｄと、接着片５と、後面フラップ７と、左右の側面フラップ８Ａ，８Ｂを備えて構成されている。
【００１０】
段ボール紙の中芯となる紙は、通常の坪量１２０ｇ／ｍ2 よりも高い１６０ｇ／ｍ2 の坪量を有する強化中芯を使用している。このため、通常の段ボール紙による紙製容器よりも強度が高い。
【００１１】
前面部１は、略矩形状に形成され、この前面部１の左右に側面部３Ａ，３Ｂが隣接している。前面部１と各側面部３Ａ，３Ｂは、折曲線Ｌ３とＬ４とにより分離することなく連結している。さらに側面部３Ａの左右両側のうち前面部１が設けられている側とは反対側には、後面部２が隣接している。後面部２と側面部３Ａは、折曲線Ｌ２により分離することなく連結している。後面部２の左右両側のうち側面部３Ａが設けられている側とは反対側には、接着片５が隣接している。後面部２と接着片５は、折曲線Ｌ１により分離することなく連結している。
【００１２】
後面部２の下縁からは、底面片４Ａが延設され、後面部２と底面片４Ａは、折曲線Ｌ６により分離することなく連結している。また、側面部３Ａの下縁からは、底面片４Ｂが延設され、側面部３Ａと底面片４Ｂは、折曲線Ｌ７により分離することなく連結している。また、前面部１の下縁からは、底面片４Ｃが延設され、前面部１と底面片４Ｃは、折曲線Ｌ８により分離することなく連結している。そして、側面部３Ｂの下縁からは、底面片４Ｄが延設され、側面部３Ｂと底面片４Ｄは、折曲線Ｌ９により分離することなく連結している。各底面片４Ａ〜４Ｄは、互いに折り込み易いような形状に切断されている。
【００１３】
また、上記の各底面片４Ａ〜４Ｄの裏面には、各底面片４Ａ〜４Ｄと前面部１との境界線Ｌ８、又は各底面片４Ａ〜４Ｄと後面部２との境界線Ｌ６、又は各底面片４Ａ〜４Ｄと各側面部３Ａ，３Ｂとの境界線Ｌ７，Ｌ９に平行な細溝部１３が設けられている。このため、底面片４Ａ〜４Ｄが撓み易くなり、底面片４Ａ〜４Ｄの折り込み（後述）が容易になり、このロール紙梱包容器１００の組み立てが容易になる。
【００１４】
後面部２の上縁からは、後面フラップ７が延設され、後面部２と後面フラップ７は、折曲線Ｌ１０により分離することなく連結している。後面フラップ７の上縁には上縁部７Ａが連接しており、後面フラップ７の本体部と上縁部７Ａは、折曲線Ｌ１５により分離することなく連結している。この折曲線Ｌ１５の略中央付近には、係合孔１５が開設されている。
【００１５】
前面部１には、その上縁から延設された係止片１４が設けられ、係止片１４の両側には切込１６，１６が設けられている。また、係止片１４と前面部１の上縁部は、折曲線Ｌ１３により分離することなく連結している。また、係止片１４には、前面部１の上縁線と連続するように折曲線Ｌ１２が設けられている。この係止片１４は、後面部２に設けられた係合孔１５と係合する。
【００１６】
側面部３Ａ，３Ｂには、その上縁から延設された側面フラップ８Ａ，８Ｂが設けられている。側面フラップ８Ａ，８Ｂには、そのフラップ本体１８Ａ，１８Ｂの略中央部に矩形開口９Ａ，９Ｂが設けられており、この矩形開口９Ａ，９Ｂの一隅には逆Ｌ字状切込１０Ａ，１０Ｂが連絡し、この矩形開口９Ａ，９Ｂと逆Ｌ字状切込１０Ａ，１０Ｂとにより支持片１２Ａ，１２Ｂが形成されている。また、側面フラップ８Ａ，８Ｂのフラップ本体１８Ａ，１８Ｂの上縁部には、上縁片１７Ａ，１７Ｂが延設されている。また、側面フラップ８Ａ，８Ｂのフラップ本体１８Ａ，１８Ｂの前面部１側の側部には、支持片１１Ａ，１１Ｂが設けられている。側面フラップ８Ａ，８Ｂのフラップ本体１８Ａ，１８Ｂと支持片１２Ａ，１２Ｂとは、折曲線Ｌ１８，Ｌ２３により分離することなく連結している。また、側面フラップ８Ａ，８Ｂのフラップ本体１８Ａ，１８Ｂと上縁片１７Ａ，１７Ｂとは、折曲線Ｌ１９，Ｌ２４により分離することなく連結している。そして、側面フラップ８Ａ，８Ｂのフラップ本体１８Ａ，１８Ｂと支持片１１Ａ，１１Ｂとは、折曲線Ｌ２０，Ｌ２５により分離することなく連結している。また、支持片１２Ａ，１２Ｂの下縁線と連続するように、側面フラップ８Ａ，８Ｂのフラップ本体１８Ａ，１８Ｂに折曲線Ｌ１６，Ｌ１７及びＬ２１，Ｌ２２が設けられている。
【００１７】
次に、本実施形態のロール紙梱包容器の組立て方法及び使用方法について説明する。図３に示すように、まず、接着片５と被接着部６とを接着剤等で接着する。次に、複数の底面片４Ａ〜４Ｄを折り込み、前面部１と後面部２と各側面部３Ａ，３Ｂと複数の底面片４Ａ〜４Ｄにより上面が後面フラップ７により開閉可能で有底四角筒状をなす胴体２１を形成する（図３（Ａ）参照）。
【００１８】
次に、左右の側面フラップ８Ａ，８Ｂを各側面部３Ａ，３Ｂとの境界線Ｌ１１とＬ１４で胴体２１の内方へ折込むとともに矩形開口９Ａ，９Ｂの上縁線Ｌ１６，Ｌ１７，Ｌ２１，Ｌ２２で胴体２１内方へ折込み、各側面フラップ８Ａ，８Ｂの上縁片１７Ａ，１７Ｂを左右の側面部３Ａ，３Ｂの裏面に対向するように折曲げ、支持片１１Ａ，１１Ｂを前面部１の裏面に対向するように折り曲げ、支持片１２Ａ，１２Ｂを後面部２側へ折曲げることにより、略四角筒状で略中央にロール紙ＣのボビンＢ，Ｂのみを支持する角形凹部２３Ａ，２３Ｂを有する突起支持部２２Ａ，２２Ｂを側面部３Ａ，３Ｂの裏面に形成する（図３（Ｂ），（Ｃ）参照）。その後、後面フラップ７の上縁部７Ａを前面部１の裏面に重ね合わせるように折り込み、係止片１４を係合孔１５内に係合させれば、後面フラップ７はしっかりと固定され、このロール紙梱包容器１００の上部が不用意に開放することが防止される（図３（Ｄ））。
【００１９】
図４は、図１に示すロール紙梱包容器にロール紙が梱包された状態を示す斜視断面図であり、図５は、図１に示すロール紙梱包容器にロール紙が梱包された状態を示す上面図である。図に示すように、ロール紙Ｃの長軸方向の端部突起であるボビンＢ，Ｂの部分は、このロール紙梱包容器１００の突起支持部２２Ａ，２２Ｂの角形凹部２３Ａ，２３Ｂのみで支持され、ロール紙Ｃの他の部分は胴体２１に接触しないようになっている。そして、ロール紙Ｃの本体部であるロール部Ｒの移動が規制される。このため、誤ってこの紙製容器に衝撃を与えたり落下等させた場合でも、直接の衝撃はロール紙Ｃに伝わらず、ロール紙Ｃがロール紙の場合にロールの巻き等が緩んだりすることがない。また、角形凹部２３Ａ，２３Ｂを形成する支持片１１Ａ，１１Ｂと支持片１２Ａ，１２Ｂを備えたことにより、このロール紙梱包容器１００の側面部３Ａ又は３Ｂの方向から衝撃が与えられた場合や、３Ａ−３Ｂ軸方向に誤って落下させた場合にも、その衝撃を吸収することができ、ロール紙Ｃのロール部Ｒが竹の子状に巻ずれを起こすことを防止できる。上記のように、このロール紙梱包容器１００は、発泡スチロールなど胴体２１とは別体の合成樹脂製の突起支持部を有する他の容器と比べ、段ボール紙のみを使用しており、環境への影響が最小限であり、環境に優しい梱包容器であるといえる。
【００２０】
上記のロール紙梱包容器１００により梱包されるロール紙Ｃの構成について、図６を参照しつつ説明する。図に示すように、このロール紙Ｃは、ボビンＢに受容層を設けた紙を巻き取ってロール部Ｒを形成している。紙を巻き取り終えた場合には、紙の終端に図に示すような、ラベルＬを貼る。ラベルＬの表面には、図６（Ｂ）に示すようなロット番号が記載されている。また、ラベルＬの裏面には、糊を塗布した糊塗布部Ｐ１と糊が塗布されていない糊不塗布部Ｐ２とが設けられており、糊塗布部Ｐ１でロール紙の終端部を留める。したがって、このロール紙の使用者がこのロール紙Ｃを使用しようとする場合には、ラベルＬの糊不塗布部Ｐ２が自由状態になっているので、これをつまんではがせば容易にロール部分Ｒの終端部がほどけ、ロール紙の巻き出し等が可能である。
【００２１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００２２】
例えば、上記実施形態においては、紙製容器の材料として、段ボール紙を使用した例について説明しているが、本発明はこれには限定されず、他の紙材、例えば板紙材等を用いてもよい。
【００２３】
また、上記実施形態においては、一つの側面部３Ｂと後面部２との間（Ｌ５部分）で切断し、後面部２側に接着片５を設け、この接着片５を側面部３Ｂの裏面の被接着部６に接着する例について説明しているが、本発明はこれには限定されず、切断する部分は、前面部１と側面部３Ａとの間（Ｌ３部分）であってもよいし、前面部１と側面部３Ｂとの間（Ｌ４部分）であってもよいし、後面部２と側面部３Ａとの間（Ｌ２部分）であってもよい。また、接着片と被接着部は、これらの切断部の両側のうちいずれの側に設けてもよい。要は、一方を接着片とし、他方を被接着部とすればよいのである。
【００２４】
また、上記実施形態においては、紙製容器に収納される柱状体として、円柱状のロール部の両端から小径円柱状のボビンが突出したロール紙を例に挙げて説明したが、本発明はこれには限定されず、少なくとも長軸方向の一端に突起を有する柱状体であればどのようなものであってもよく、柱状部及び端部の突起は、三角柱や四角柱あるいは五角柱以上の多角形断面柱、円柱、楕円柱等であってもかまわない。さらに、断面が星形、歯車形等であってもよいし、内部に開孔を有する有底又は無底の筒状部材であってもよい。また、長軸方向の両端に突起を有する場合には、それぞれの端部の突起の形状と大きさが異なっていてもよい。
【００２５】
【発明の効果】
以上説明したように、請求項１記載の発明によれば、１枚の紙材に所定の切欠き加工を施し一部を接着するとともに他部を折曲げ加工することにより、箱状の胴体と、胴体に一体化されるとともに柱状体の突起のみを支持する突起支持部と、を形成するように構成したので、柱状体の突起の部分は突起支持部のみで支持され、柱状体の本体部の移動が規制される。このため、誤ってこの紙製容器に衝撃を与えたり落下等させた場合でも、柱状体に支障、例えば柱状体がロール紙の場合にロールの巻き等が緩んだりすることがない。このとき、柱状体の突起の部分は突起支持部の角形凹部のみで支持されるので、柱状体の本体部の移動が規制される。このため、誤ってこの紙製容器に衝撃を与えたり落下等させた場合でも、柱状体に支障、例えば柱状体がロール紙の場合にロールの巻き等が緩んだりすることがない。また、角形凹部を形成する支持片を備えたことにより、この紙製容器の側面部の方向から衝撃が与えられた場合や、側面部軸方向に誤って落下させた場合にも、その衝撃を吸収することができ、柱状体がロール紙の場合にロール部が竹の子状に巻ずれを起こすことを防止できる。
請求項２記載の発明によれば、前記複数の底面片の裏面には、前記底面片と前記前面部又は前記後面部又は前記各側面部との境界線に平行な細溝部が設けられたので、底面片が撓み易くなり、底面片の折り込みが容易になる。したがって、この紙製容器の組み立てが容易になる。
請求項３記載の発明によれば、前記前面部にはその上縁から延設された係止片が設けられ、前記後面部には前記係止片に係合する係合孔が設けられたので、後面フラップの上縁部を前面部の裏面に重ね合わせるように折り込み、係止片を係合孔内に係合させることにより、この紙製容器が不用意に開放することが防止される。
【図面の簡単な説明】
【図１】本発明の一実施形態であるロール紙梱包容器を示す表面の展開図である。
【図２】図１に示すロール紙梱包容器の構成を示す裏面の展開図である。
【図３】図１のロール紙梱包容器によるロール紙の梱包方法を示す斜視図である。
【図４】図１のロール紙梱包容器にロール紙が梱包された状態を一部破断して示す斜視図である。
【図５】図１のロール紙梱包容器にロール紙が梱包された状態を示す上面図である。
【図６】図１のロール紙梱包容器により梱包されるロール紙の構成を示す図である。
【符号の説明】
１  前面部
２  後面部
３Ａ，３Ｂ  側面部
４Ａ〜４Ｄ  底面片
５  接着片
６  被接着部
７  後面フラップ
７Ａ  上縁部
８Ａ，８Ｂ  側面フラップ
９Ａ，９Ｂ  矩形開口
１０Ａ，１０Ｂ  逆Ｌ字状切込
１１Ａ，１１Ｂ  支持片
１２Ａ，１２Ｂ  支持片
１３  細溝部                            １４  係止片
１５  係合孔                            １６  切込
１７Ａ，１７Ｂ  上縁片                  １８Ａ，１８Ｂ  フラップ本体
２１  胴体                              ２２Ａ，２２Ｂ  突起支持部
２３Ａ，２３Ｂ  角形凹部
１００  ロール紙梱包容器
Ｂ  ボビン                            Ｃ  柱状体
Ｌ  ラベル
Ｌ１〜Ｌ２５  折曲線
Ｒ  ロール部
Ｐ１  糊塗布部
Ｐ２  糊不塗布部
【図１】
0003680955.tif 000002
【図２】
0003680955.tif 000003
【図３】
0003680955.tif 000004
【図４】
0003680955.tif 000005
【図５】
0003680955.tif 000006
【図６】
0003680955.tif 000007